(57)【要約】      （修正有）【課題】従来、枠体のような２つの被連結部材を連結具も各種開発されそれなりに使用されているが、連結するのに工具や他のパーツを必要としたり、分解不可能に連結するものであり、ワンタッチで連結分解ができる連結具が要望されている。【解決手段】基部２の一側辺に設けた鍔状の基部係止辺２ａと、空間部３を有して接続する接続部４と、接続部４の空間部３に立設させた第１の係止片と、鍔状の第１の係止辺と、基部２に延設した円弧状部６と、円弧状部６に設けた平板部７と、空間部３に立設させた第２の係止片８と、第２の係止片８に形成した鍔状の第２の係止辺８ａと、を備え、基部係止辺２ａと第１の係止辺とを一方の被連結部材の係着部１１ａに係止させ、平板部７と第２の係止辺８ａとを他方の被連結部材の係着部に係止させる。【選択図】図２
2013122301.tif 000002
【特許請求の範囲】
【請求項１】
開口溝の両側に平行する係着部を夫々備えた２つの被連結部材を連結させるための材料特性の弾性を有する合成樹脂で形成された連結具であって、両側に設けた略平板状の夫々の基部と、該夫々の基部の一側辺に設けた鍔状の基部係止辺と、前記夫々の基部を中央に空間部を有して接続する接続部と、該接続部の他側側の前記空間部に立設させた第１の係止片と、該第１の係止片の頂部の他側辺に形成した鍔状の第１の係止辺と、前記夫々の基部の底面に延設した他側側に湾曲する円弧状部と、該円弧状部の先端に前記夫々の基部と直交する方向に設けた平板部と、前記接続部の一側側の前記空間部に立設させた第２の係止片と、該第２の係止片の頂部の一側辺に形成した鍔状の第２の係止辺と、を備え、前記基部係止辺と前記第１の係止辺とを一方の被連結部材の前記係着部に係止させ、前記平板部と前記第２の係止辺とを他方の被連結部材の前記係      
【請求項２】
開口溝の両側に平行する係着部を夫々備えた２つの被連結部材を連結させるための材料特性の弾性を有する合成樹脂で形成された連結具であって、略平板状の基部と、該基部の一側辺に設けた鍔状の基部係止辺と、基部の下方に上方に空間部を有して延設した接続部と、該接続部の他側側の前記空間部に立設させた第１の係止片と、該第１の係止片の頂部の他側辺に形成した鍔状の第１の係止辺と、前記基部の底面に延設した他側側に湾曲する円弧状部と、該円弧状部の先端に基部と直交する方向に設けた平板部と、前記接続部の一側側の前記空間部に立設させた第２の係止片と、該第２の係止片の頂部の一側辺に形成した鍔状の第２の係止辺と、を備え、前記基部係止辺と前記第１の係止辺とを一方の被連結部材の前記係着部に係止させ、前記平板部と前記第２の係止辺とを他方の被連結部材の前記係着部に係止させることを特徴とする連結具。
【発明の詳細な説明】
【技術分野】
【０００１】
本発明は、２つの被連結部材を連結する連結具に関するものであって、更に、詳細には、溝付きの枠体のような両側に平行する係着部を夫々備えた２つの被連結部材を連結する連結具に関するものである。
【背景技術】
【０００２】
従来、この種の枠体のような２つの被連結部材を連結具も各種開発されそれなりに使用されているが、その殆どは、連結するのにドラバーのような工具やボルトナットのような他のパーツを必要としたり、ビスや接着剤のように分解不可能に連結するものであり、手間暇が掛かっており、また、ワンタッチで連結分解ができる連結具が要望されている。
【０００３】
例えば、本出願人が、先に開示した、２本ずつの長さが等しい４本の長い枠部材１と、交叉する側面５１に枠部材１が互いに角度をつけて取付けられる４個の隅連結部材５とからなり、枠部材１がその長手方向軸線のまわりに回動するようにされ、上部に前面係合部１２を有すると共に上面を突出方向に向けて下方に曲げ、開放位置でその先端を前面係合部１２より突出させた中仕切１１によって第１及び第２の部分に分割され、第１の部分Ｂは収容される物の周縁を挾持するように形成され、第２の部分Ａは隅連結部材５が固定されるように形成され、枠部材１が隅連結部材５に対して開放位置及び閉鎖位置にそれぞれ固定される固定手段を設けたもの（特許文献１参照）や、二面が延設された縦枠体と、縦枠体の一面を平面矩形状に固定する横枠体と、縦枠体に固定する額縁用固定具と、額縁用固定具に固定する額縁とを備え、額縁は四本の長い枠部材と、枠部材が係合される四個の隅連結部材とからなり、枠部材が長手方向軸線のまわりに回動するようにされ、枠部材は中仕切によって第一の部分と第二の部分とに分割され、第二の部分は隅連結部材が固定されると共に、縦枠体を横枠体で固定することにより展示用枠体を形成し、額縁用固定具の固定具側面を第二の部分に挿通させ枠部材が長手方向軸線のまわりに回動するように係合させたもの（特許文献２参照）や、複数の枠部材２と、枠部材２の端部同士が交差して係合される隅連結部材３とを有する。枠部材２が、その長手方向に沿う軸線回りに回動可能であって、被掲示物の周縁前面を支持する前面支持部７を備え、開放位置において、前面支持部７が被掲示物５０の正面から退避する。隅連結部材３は、被掲示物５０の角部の直交する両側面を支持するための互いに直交するコーナーガイド面２１を有し、隅連結部材３はコーナーガイド面２１より上方に位置するすべての部分がコーナーガイド面２１よりも外方に存在するもの（特許文献３参照）等が開示されている。
【特許文献１】特開平９−１６４０４８号公報
【特許文献２】特開２００４−２９０２７７号公報
【特許文献３】特開２００５−３４４１１号公報
【発明の開示】
【発明が解決しようとする課題】
【０００４】
然し乍ら、前述の開示されている特許文献１に記載のものは、第２の部分Ａは隅連結部材５が固定されるように形成され、枠部材１が隅連結部材５に対して開放位置及び閉鎖位置にそれぞれ固定される固定手段を設けたもので、額縁のような直角方向に接続するものであり、更に、特許文献２に記載のものは、額縁用固定具の固定具側面を第二の部分に挿通させ枠部材が長手方向軸線のまわりに回動するように係合させたものであり、額縁用固定具をネジ止め、溶着等の手段により固定して接続しているもので、更には、特許文献３に記載のものは、隅連結部材３は、被掲示物５０の角部の直交する両側面を支持するための互いに直交するコーナーガイド面２１を有し、隅連結部材３はコーナーガイド面２１より上方に位置するすべての部分がコーナーガイド面２１よりも外方に存在するものであり、矩形状に枠体を連結するものである。
【課題を解決するための手段】
【０００５】
本発明は前記課題に鑑み、鋭意研鑽の結果、これらの課題を解決するもので、開口溝の両側に平行する係着部を備えた２つの被連結部材を連結させるための材料特性の弾性を有する合成樹脂で形成された連結具であって、両側に設けた略平板状の基部と、基部の一側辺に設けた鍔状の基部係止辺と、基部を中央に間隔部を有して接続する接続部と、接続部の他側側の空間部に立設させた第１の係止片と、第１の係止片の頂部の他側辺に形成した鍔状の第１の係止辺と、基部の底面に延設した他側側に湾曲する円弧状部と、円弧状部の先端に基部と直交する方向に設けた平板部と、接続部の一側側の空間部に立設させた第２の係止片と、第２の係止片の頂部の一側辺に形成した鍔状の第２の係止辺と、を備え、基部係止辺と第１の係止辺とを一方の被連結部材の係着部に係止させ、平板部と第２の係止辺とを他方の被連結部材の係着部に係止させるものである。
【発明の効果】
【０００６】
本発明の連結具は、開口溝の両側に平行する係着部を備えた２つの被連結部材を連結させる連結具で、材料特性の弾性を有する合成樹脂で形成されるものであって、基部に設けた鍔状の基部係止辺と第１の係止片に形成した第１の係止辺とを２つの被連結部材の内、一方の被連結部材の係着部の間に挿通させるのみでしっかりと固定し、円弧状部の先端の直角方向に設けた平板部と第２の係止片に形成した第２の係止辺とを他方の被連結部材の係着部の間に挿通させるのみでしっかりと固定し、解除は枢動させることにより容易に外すことができるもので、工具や部品を必要とすることなくワンタッチで連結と解除とができ、然も、丈夫に連結することができるので多少の衝撃には十分に耐えうるものであり、有意義な効果を奏し実用性の高い画期的な発明である。
【発明を実施するための最良の形態】
【０００７】
以下、本発明の連結具の実施の形態を図面によって具体的に説明すると、図１は本発明の連結具の実施例の斜視図であり、図２は本発明の連結具の実施例の一方の被連結部材との連結状態を説明する斜視図であり、図３は本発明連結具の実施例の夫々の被連結部材との連結状態を説明する要部断面説明図であり、図４は本発明の連結具の実施例の夫々の被連結部材の連結後の状態を説明する要部断面説明図であり、図５は本発明の連結具の実施例の他方の被連結部材枢動させた連結状態を説明する要部断面説明図である。
【０００８】
本発明は、２つの被連結部材を連結する連結具に関するものであって、更に、詳細には、溝付きの枠体のような両側に平行する係着部を夫々備えた２つの被連結部材を連結する連結具に関するものであり、請求項１に記載の連結具は、開口溝の両側に平行する係着部１１ａ．２１ａを夫々備えた２つの被連結部材１１．２１を連結させるための材料特性の弾性を有する合成樹脂で形成された連結具１であって、両側に設けた略平板状の夫々の基部２と、該夫々の基部２の一側辺に設けた鍔状の基部係止辺２ａと、前記夫々の基部２を中央に空間部３を有して接続する接続部４と、該接続部４の他側側の前記空間部３に立設させた第１の係止片５と、該第１の係止片５の頂部の他側辺に形成した鍔状の第１の係止辺５ａと、前記夫々の基部２の底面に延設した他側側に湾曲する円弧状部６と、該円弧状部６の先端に前記夫々の基部２と直交する方向に設けた平板部７と、前記接続部４の一側側の前記空間部３に立設させた第２の係止片８と、該第２の係止片８の頂部の一側辺に形成した鍔状の第２の係止辺８ａと、を備え、前記基部係止辺２ａと前記第１の係止辺５ａとを一方の被連結部材１１の前記係着部１１ａに係止させ、前記平板部７と前記第２の係止辺８ａとを他方の被連結部材２１の前記係着部２１ａに係止させることを特徴とするものである。
【０００９】
更に、請求項２に記載の連結具は、開口溝の両側に平行する係着部１１ａ．２１ａを夫々備えた２つの被連結部材１１．２１を連結させるための材料特性の弾性を有する合成樹脂で形成された連結具１であって、略平板状の基部２と、該基部２の一側辺に設けた鍔状の基部係止辺２ａと、前記基部２の下方に上方に空間部３を有して延設した接続部４と、該接続部４の他側側の前記空間部３に立設させた第１の係止片５と、該第１の係止片５の頂部の他側辺に形成した鍔状の第１の係止辺５ａと、前記夫々の基部２の底面に延設した他側側に湾曲する円弧状部６と、該円弧状部６の先端に前記夫々の基部２と直交する方向に設けた平板部７と、前記接続部４の一側側の前記空間部３に立設させた第２の係止片８と、該第２の係止片８の頂部の一側辺に形成した鍔状の第２の係止辺８ａと、を備え、前記基部係止辺２ａと前記第１の係止辺５ａとを一方の被連結部材１１の前記係着部１１ａに係止させ、前記平板部７と前記第２の係止辺８ａとを他方の被連結部材２１の前記係着部２１ａに係止させることを特徴とするものである。
【実施例】
【００１０】
即ち、本発明の連結具１は、図示するように、開口溝付きの枠体と枠体のような２つの被連結部材１１．２１を連結させるものであり、２つの被連結部材１１．２１はアルミニウム等の軽金属で形成された枠体等が好適なもので、夫々の開口溝の両側へ平行する係着部１１ａ．２１ａを備えたもので、係着部１１ａ．２１ａはコ字状の開口溝部の縁部に膨出するように鍔状に突出させているものであり、また、パネルのような平板状の被連結部材１１．２１であっても、矩形状の穴を穿設してその両側を係着部１１ａ．２１ａとして連結することも可能なものである。
【００１１】
そして、連結具１は、比較的硬質で材料特性の弾性を有する合成樹脂で一体に形成されているものであり、一方の被連結部材１１と他方の被連結部材２１の２つの被連結部材１１．２１の係着部１１ａ．２１ａに夫々連結具１の一部を挿通させることにより着脱自在に連結させるものである。
【００１２】
次に、図１及び図２に図示するように、基部２は、後述する空間部３を介して両側に設けた略平板状のものであり、図示する基部２の両側に穿設された貫通孔は枠体等の被連結部材１１．２１に連結具１を固定したい場合にビス等を通す為のものである。
【００１３】
次いで、基部係止辺２ａは、夫々の基部２の一側辺に設けた鍔状のものであり、枠体等の被連結部材１１．２１の開口縁部に鍔状に突出させた係着部１１ａ．２１ａの裏面に係止するものである。
【００１４】
更に、接続部４は、基部２と基部２との間に空間部３を有して接続しているもので、空間部３には後述する第１の係止片５と第２の係止片８とが接続部４から立設されるスペースとなるものである。
【００１５】
更には、第１の係止片５は、接続部４の他側側、つまり、基部係止辺２ａと被連結部材１１．２１の開口溝の巾を有して他側側に立設させているもので、第１の係止辺５ａは、第１の係止片５の頂部の他側辺に鍔状に形成しているものである。
【００１６】
そして、円弧状部６は、夫々の基部２の底面の他側側に延設しているもので、つまり、基部２の底面の他側側に円弧状に膨出するように形成しているもので、円弧状部６の先端には後述する平板部７を設けてるものである。
【００１７】
次に、平板部７は、円弧状部６の先端に夫々の基部２と直交方向に設けたもので、後述する第２の係止辺８ａと共に被連結部材１１．２１を連結させ、また、平板部７の先端辺７ａは枢動のための支点、つまり、軸芯と成るものである。
【００１８】
更に、第２の係止片８は、接続部４の一側側の空間部３に立設させたものであり、第２の係止辺８ａは、第２の係止片８の頂部の一側辺に形成した鍔状のものである。
【００１９】
そして、基部係止辺２ａと第１の係止辺５ａとを一方の被連結部材１１の係着部１１ａに挿通させて係止させるものであるが、図２及び図３に図示するように、基部２の第１の係止辺５ａを一方の被連結部材１１の開口から係着部１１ａの下方に挿通させ、上方から押圧することにより、図４に図示するように、第１の係止辺５ａが第１の係止片５の材料特性の弾性により嵌入して一方の被連結部材１１を連結させるものである。
【００２０】
更には、平板部７と第２の係止辺８ａとを他方の被連結部材２１の係着部２１ａに係止させることにより連結させるもので、図４に図示するように、他方の被連結部材２１の開口に連結具１の平板部７と第２の係止辺８ａとを押し当てて、更に、押圧することにより材料特性の弾性により係着部２１ａに係止させるものである。
【００２１】
また、他方の被連結部材２１は、連結具１を介して枢動を可能としているもので、枢動の軸芯は平板部７の先端辺７ａとなるもので、平板部７の基端は枠体に形成された円弧状の中仕切り２２の内側を摺動して、平板部７の先端と基端とにより他方の被連結部材２１の円弧状の中仕切り２２と係着部２１ａにより係止されており、図４に図示するように、パネルや透明の樹脂板、被掲示物等を中仕切りの外方と湾曲させた挟持部材により挟持されるものである。
【００２２】
加えて、本発明の連結具の実施例では、平板状の２つの基部２を並設しており、その間に空間部３と、接続部４と、第１の係止片５と、第１の係止辺５ａと、第２の係止片８と、第２の係止辺８ａとを備えており、連結具の長手方向は中心線を境に対称と成っているものである。
【００２３】
そして、連結具の長手方向の中心線により切断しても、切断した片方で十分に機能するものであるので、次実施例では基部２を１つとしたもので、夫々を離して配設することで長い被連結部材１１．２１であっても安定して連結できるものであり、他の構造は実施例で記載と同じであるので詳述は割愛するものである。
【００２４】
つまり、本発明の連結具１で連結できる被連結部材１１．２１は、特に枠体に限定することはなく、開口溝を形成できるもので有れば連結可能であり、例えば、平面状のパネルを一方の被連結部材１１として他方の被連結部材２１を連結できるものである。
【産業上の利用可能性】
【００２５】
本発明は、開口溝の両側に平行する係着部を夫々備えた２つの被連結部材を連結させる連結具で、材料特性の弾性を有する合成樹脂で形成されるものであって、基部に設けた鍔状の基部係止辺と第１の係止片に形成した第１の係止辺とを２つの被連結部材の内、一方の被連結部材の係着部の間に挿通させるのみでしっかりと固定し、円弧状部に直角方向に設けた平板部と第２の係止片に形成した第２の係止辺とを他方の被連結部材の係着部の間に挿通させるのみでしっかりと固定し、解除は枢動させることにより容易に外すことができるもので、ワンタッチで連結と解除とができるものであり、然も、丈夫に連結することができ多少の衝撃には十分に耐えうる連結具を提供するものである。
【図面の簡単な説明】
【００２６】
【図１】図１は本発明の連結具の実施例の斜視図である。
【図２】図２は本発明の連結具の実施例の一方の被連結部材との連結状態を説明する斜視図である。
【図３】図３は本発明の連結具の実施例の夫々の被連結部材との連結状態を説明する要部断面説明図である。
【図４】図４は本発明の連結具の実施例の夫々の被連結部材の連結後の状態を説明する要部断面説明図である。
【図５】図５は本発明の連結具の実施例の他方の被連結部材枢動させた連結状態を説明する要部断面説明図である。
【符号の説明】
【００２７】
１      連結具
２      基部
２ａ    基部係止辺
３      空間部
４      接続部
５      第１の係止片
５ａ    第１の係止辺
６      円弧状部
７      平板部
７ａ    先端辺
８      第２の係止片
８ａ    第２の係止辺
１１    一方の被連結部材
１１ａ  係着部
２１    他方の被連結部材
２１ａ  係着部
２２    中仕切り
【図１】
2013122301.tif 000003
【図２】
2013122301.tif 000004
【図３】
2013122301.tif 000005
【図４】
2013122301.tif 000006
【図５】
2013122301.tif 000007